(57)【特許請求の範囲】
【請求項１】
大当たりモード時に、一定時間が経過するまで又は該一定時間のうちで所定個数の入賞玉が発生するまで変動入賞装置の変動部材を開放し、該変動部材の開放中に前記変動入賞装置に受け入れた入賞玉が複数の入賞口のうち継続入賞口に入賞したときに、次回の変動部材の開放を留保するように構成された弾球遊技機において、
前記変動部材の近傍に抑制部材を設け、開放中に受け入れた入賞玉が前記継続入賞口に入賞したときにその入賞以降の前記変動部材への打球の入賞率を抑制すべく前記抑制部材を動作させるように構成したことを特徴とする弾球遊技機。
【請求項２】
前記入賞率抑制は、前記継続入賞口への入賞前後で前記変動部材の動作自体を変化させることなく行われるよう構成したことを特徴とする請求項１記載の弾球遊技機。
【発明の詳細な説明】
【０００１】
【発明の属する技術分野】
本発明は、大当たりモード時に、一定時間が経過するまで又は該一定時間のうちで所定個数の入賞玉が発生するまで変動部材を開放し、その開放中に受け入れた入賞玉が継続入賞口に入賞したときに、次回の変動部材の開放を留保するように構成された弾球遊技機に関するものである。
【０００２】
【従来の技術】
従来、複数の図柄を可変表示可能な図柄表示装置の表示態様が予め定められた大当り表示態様（例えば、複数ある表示部のすべての表示が「同一数字」を表示したとき）となったとき、変動部材を有する変動入賞装置が所定の期間、具体的には、一定時間（例えば、３０秒）が経過するまで、又はその一定時間の内で所定個数（例えば、１０個）の入賞玉が発生するまで開放状態となり、その開状態の間に変動入賞装置内に設けられる継続入賞口に入賞玉が入賞すると、前記変動部材を上記所定の期間が達成された後に一旦閉状態とし、その後再度所定の期間開放状態にする動作を前記継続入賞口への入賞玉の入賞を条件として所定回数（例えば、１０回）繰返すパチンコ機が市場に提供されていた。このようなパチンコ機においては、継続入賞口へ入賞玉が入賞した時点で次回の開放状態が留保されており、１回の開放状態においては、所定の期間が保証されるようになっている。
【０００３】
【発明が解決しようとする課題】
ところで、上記したように所定の期間としては、一定時間（例えば、３０秒）が経過するまで、又はその一定時間の内で所定個数（例えば、１０個）の入賞玉が発生するまでであるが、遊技者にとっては、継続入賞口に入賞すれば、次回の開放状態が保証されるため、継続入賞口への入賞玉の入賞後は、上記一定時間をかけて所定個数の入賞玉が発生すればよいことになる。しかし、実際には、継続入賞口へ入賞玉が入賞した後も変動入賞装置への打球の入賞が連続し、上記一定時間の途中で所定個数に到達して開放状態を終了し、次の開放状態に移行するため、例え、開放状態が所定回数連続しても、トータルとして大当りモードが極めて短い時間で終了し、十分に大当りモードを楽しむことができなかった。
【０００４】
本発明は、上記した問題点に鑑みなされたもので、その目的とするところは、大当りモード時に、その大当りの遊技状態を十分に楽しむことができ、しかも変動入賞装置自体は従来のものを利用し得る弾球遊技機を提供することにある。
【０００５】
【課題を解決するための手段】
上記した目的を達成するために、本発明では、大当たりモード時に、一定時間が経過するまで又は該一定時間のうちで所定個数の入賞玉が発生するまで変動入賞装置の変動部材を開放し、該変動部材の開放中に前記変動入賞装置に受け入れた入賞玉が複数の入賞口のうち継続入賞口に入賞したときに、次回の変動部材の開放を留保するように構成された弾球遊技機において、前記変動部材の近傍に抑制部材を設け、開放中に受け入れた入賞玉が前記継続入賞口に入賞したときにその入賞以降の前記変動部材への打球の入賞率を抑制すべく前記抑制部材を動作させるように構成した。この場合、前記入賞率抑制は、前記継続入賞口への入賞前後で前記変動部材の動作自体を変化させることなく行われるよう構成することが好ましい。
【０００６】
【作用】
複数の入賞口のうち継続入賞口へ入賞玉が入賞すると、次回の開放状態が留保されると共に抑制部材が作動してその入賞以降の変動部材への打球の入賞率を抑制する。そして、抑制された後に変動部材に入賞する打球が所定個数に到達するまでに時間がかかり１回の開放状態を所定時間に近い時間をかけて終了させることができ、トータルとして大当りモードを十分に楽しむことができる。また、この抑制に際しては、変動入賞装置の変動部材自体は何ら変化させる必要がないことから、従来の変動入賞装置をそのまま利用することが可能となる。
【０００７】
【発明の実施の形態】
以下、図面を参照して、本発明に係る実施例について説明する。
【０００８】
まず、実施例に係るパチンコ機について図６を参照して説明する。図６は、パチンコ機の正面図である。図において、パチンコ機１の額縁状に形成された前面枠２の開口には、金枠３が周設されている。そして、その金枠３には、ガラスを有するガラス扉枠４と前面扉５とが開閉自在に設けられている。ガラス扉枠４の後方には、前記前面枠２の裏面に固定される遊技盤固定枠（図示しない）に着脱自在に取り付けられる遊技盤９が配置されている。
【０００９】
前記前面扉５の表面には、入賞玉の発生により図示しない賞品球排出装置から払い出された賞品球を優先的に貯留し、且つ打球を発射位置に誘導する上皿６が取り付けられている。
【００１０】
前記前面枠２の下方には、発射装置の一部を構成する操作ハンドル７が突設固定され、該操作ハンドル７の側方には、前記上皿６に貯留し切れなかった賞品球を貯留する下皿８が取り付けられている。
【００１１】
前記遊技盤９の前面には、打球を誘導する誘導レール１０がほぼ円状に植設され、該誘導レール１０によって囲まれた範囲が遊技領域１１を構成している。遊技領域１１のほぼ中央には、図柄表示装置３４を含む変動入賞装置２０が設けられている。変動入賞装置２０は、打球を受け入れ易い開状態と打球を受け入れない閉状態とに変換可能な一対の変動部材２７ａ，２７ｂを有し、さらに、その内部に変動部材２７ａ，２７ｂで受け入れた打球を特別の入賞とするＶ入賞口２９と普通の入賞とする通常入賞口３０ａ，３０ｂとが形成されている。本実施例においてＶ入賞口２９は、継続入賞口を構成している。しかして、変動入賞装置２０は、後述する図柄表示装置３４の表示態様が予め定めた大当り態様となったときに変動部材２７ａ，２７ｂを開状態とし、該変動部材２７ａ，２７ｂが所定の条件を達成するまで、例えば、一定時間（例えば、３０秒）経過するまで、又は該一定時間の内で一定個数（例えば、１０個）入賞するまで開放し、且つそのような開状態を前記Ｖ入賞口２９に打球が入賞したことに基づいて所定回数（例えば、１０回）繰り返して行い、短時間に多量の入賞玉を発生させるようになっている。なお、変動入賞装置２０の構成については、後に詳述する。
【００１２】
また、遊技領域１１には、その下方に図柄表示装置３４のドット・マトリックス・ディスプレイ３６ａ〜３６ｃの図柄の可変表示動作を開始させる始動入賞口１２ａ〜１２ｃが配置され、その始動入賞口１２ａ〜１２ｃの左右上方に通常入賞口１３ａ〜１３ｄが設けられている。更に、遊技領域１１の左右中央部分には、前記図柄表示装置３４の表示態様が大当り表示態様となったときに点滅して、その旨を報知する大当りランプ１４ａ，１４ｂが配置される。この大当りランプ１４ａ，１４ｂと同じ効果を表するものとして前記前面枠２の上部にも動作ランプ１５が設けられている。この動作ランプ１５は、主として遊技場の店員に大当り状態となったことを報知するためのものである。なお、前記始動入賞口１２ａ〜１２ｃには、打球が入賞したこことを検出する始動入賞検出スイッチ５３ａ〜５３ｃ（図示しない；ただし、図４のブロック図において示す）が設けられている。
【００１３】
次に、図１ないし図３を参照して図柄表示装置３４を含む変動入賞装置２０の構成について説明する。変動入賞装置２０は、図２及び図３に示すように前記遊技盤９に取り付けられる取付基板２１を有している。取付基板２１の上部には、玉受突出部２２が突設され、該玉受突出部２２の上部に通常入賞口２３が形成されている。また、玉受突出部２２には、その前面に大当り遊技状態となって変動部材２７ａ，２７ｂの１回の開放中に変動入賞装置２０に入賞した入賞玉数を表示する入賞個数表示器２４と、Ｖ入賞口２９に入賞することを条件とする前記した開放状態の繰返し回数を表示する継続回数表示器２５が設けられている。なお、入賞個数表示器２４及び継続回数表示器２５は、共に７セグメントＬＥＤで構成されている。
【００１４】
玉受突出部２２の下方には、入賞空間２６が形成され、その入賞空間２６の左右に変動部材２７ａ，２７ｂが回動自在に軸支されている。この変動部材２７ａ，２７ｂは、起立した閉状態で前記玉受突出部２２との間に打球を受け入れないように入賞空間２６を閉塞し、ほぼ水平の開状態で遊技領域１１を落下する打球を入賞空間２６に導くものである。なお、変動部材２７ａ，２７ｂは、図１に示すように開閉ソレノイド３９によって開閉駆動されるものであるが、これについては、後に詳述する。
【００１５】
入賞空間２５の底面には、流下板２８が設けられ、該流下板２８の後方が３つに区画されている。３つの区画のうち中央にＶ入賞口２９が形成され、左右に通常入賞口３０ａ，３０ｂが形成されている。Ｖ入賞口２９は、前記したように大当り状態における変動部材２７ａ，２７ｂの開放中に入賞玉が入賞することにより、再度変動部材２７ａ，２７ｂを開放するためのものであり、このため、Ｖ入賞口２９には、入賞玉が飛入したことを検出するためのＶ入賞検出スイッチ５５（図示しない；ただし、図４のブロック図に示す）が内蔵されている。また、Ｖ入賞検出スイッチ５５がＯＮすると、その旨を報知するＶランプ６４（図示しない；ただし、図４のブロック図に示す）が点灯するようになっている。また、Ｖ入賞検出スイッチ５５の下方には、変動部材２７ａ，２７ｂに受け入れられた入賞玉をすべて検出する１０カウント検出スイッチ５４（図示しない；ただし、図４のブロック図に示す）も設けられている。
【００１６】
また、取付基板２１には、その左右両側に開状態における上記変動部材２７ａ，２７ｂの側面に衝突した打球が誘導されて入賞する通常入賞口３１ａ，３１ｂが形成されるとともに、変動部材２７ａ，２７ｂに挟まれるように玉受枠３２が突設されている。この玉受枠３２の上面は、変動部材２７ａ，２７ｂで受け入れた入賞玉を前記流下板２８に誘導するように形成され、その前面には、図柄表示装置３４が作動中及び変動部材２７ａ，２７ｂが開放中に前記始動入賞口１２ａ〜１２ｃに入賞した個数を最高４個まで記憶し、その記憶した数を表示する始動入賞表示器３３ａ〜３３ｄが設けられている。始動入賞表示器３３ａ〜３３ｄは、ＬＥＤランプで構成されている。
【００１７】
また、取付基板２１の下方には、複数の図柄を可変表示可能なドット・マトリックス・ディスプレイ３６ａ〜３６ｃを複数個（３つ）設けた図柄表示装置３４が形成されている。この図柄表示装置３４は、前記したように遊技領域１１の下方に設けられる始動入賞口１２ａ〜１２ｃに打球が入賞することによりその表示態様が変化し始め、一定時間（例えば、５秒）経過することにより停止するようになっている。この停止動作は、遊技客が操作できるストップスイッチのストップ信号によって停止させてもよい。そして、停止したときの複数のドット・マトリックス・ディスプレイ３６ａ〜３６ｃの表示態様が予め定められた大当り表示態様（例えば、「同一の数字」が表示されたとき）であるときに、前記変動部材２７ａ，２７ｂを前述した所定の条件で開状態とするようになっている。また、この実施例における図柄表示装置３４の特徴的なことは、各ドット・マトリックス・ディスプレイの辺に沿った上下に棒状のライト・バー・モジュール３７ａ〜３７ｃを配置したことである。このライト・バー・モジュール３７ａ〜３７ｃは、高輝度発光ダイオードを複数並べて特殊な棒状レンズを被覆したものであり、ライン状に一光源の如く点滅するものである。そして、このライト・バー・モジュール３７ａ〜３７ｃは、対応するドット・マトリックス・ディスプレイ３６ａ〜３６ｃが停止したときに点灯し、ドット・マトリックス・ディスプレイ３６ａ〜３６ｃの周りを明るく点灯することによりドット・マトリックス・ディスプレイ３６ａ〜３６ｃによって点線状に表示される図柄の印象をより鮮明に浮き出すものである。なお、図柄表示装置３４の前面には、有色透明のスモークドガラス３５が配置され、各ドット・マトリックス・ディスプレイ３６ａ〜３６ｃの非点灯時に各ドットが識別できないようになっている。
【００１８】
次に、変動入賞装置２０の背面の構造について図１を参照して説明すると、変動入賞装置２０の背面には、ソレノイド取付板３８が配置され、該ソレノイド取付板３８に２つのソレノイド３９、４０が取着されている。上方に位置するソレノイド３９は、前記変動部材２７ａ，２７ｂを開閉駆動する開閉ソレノイド３９を構成し、下方に位置する支持ソレノイド４０は、大当りモード時に入賞玉が継続入賞口としてのＶ入賞口２９に入賞したときに駆動されるもので、変動部材２７ａ，２７ｂの開放寸法を縮小するためのものである。より詳細に説明すると、開閉ソレノイド３９のプランジャ４１には、その両端部に係合長穴４６ａ，４６ｂを有する作動部材４２が連結されている。この作動部材４２の係合長穴４６ａ，４６ｂには、前記変動部材２７ａ，２７ｂの回同軸４４ａ，４４ｂの後端に固着されたリング部材４３ａ，４３ｂに後方に向って延在された係合ピン４５ａ，４５ｂが遊嵌されている。なお、開閉ソレノイド３９のプランジャ４１には、スプリング４７が周設され、常にプランジャ４１が下方に向って付勢されている。しかして、開閉ソレノイド３９が動磁されるとプランジャ４１がスプリング４７の付勢力に抗して上昇するので、作動部材４２も上昇する。作動部材４２が上昇すると、リンク部材４３ａ，４３ｂが回動軸４４ａ，４４ｂを中心にして上方向に回動し、回動軸４４ａ，４４ｂ自体も回動する。回同軸４４ａ，４４ｂが回動すると変動部材２７ａ，２７ｂも回動して図１の破線で示すような開放状態となる。一方、開閉ソレノイド３９の動磁が解除されると、プランジャ４１が自重及びスプリング４７の付勢力により下降する。すると、作動部材４２も下降するので、リング部材４３ａ，４３ｂが前記と逆方向に回動し、変動部材２７ａ，２７ｂを閉状態とする。
【００１９】
前記支持ソレノイド４０は、開閉ソレノイド３９と同一垂直線上に配置され、そのプランジャ４８の上端が作動部材４２の下辺と対面するようになっている。また、プランジャ４８にはスプリング４９が周設され、常にプランジャ４８を下方に付勢している。しかして、支持ソレノイド４０が動磁されると、スプリング４９の付勢力に抗してプランジャ４８が上昇することになるが、その上昇点は、図１に示すように、開閉ソレノイド３９が非動磁状態となって作動部材４２が下降したときに、作動部材４２が最も下降した位置ではなく、僅かに下降した位置となるように支持する点である。そして、このように支持ソレノイド４０を駆動することにより、変動部材２７ａ，２７ｂは、一点鎖線で示すように、僅かに閉じた状態となり、変動部材２７ａ，２７ｂの全開状態に比較して全体として「２ｄ」だけその開放寸法が縮小する。このため、変動部材２７ａ，２７ｂへの打球の入賞率が抑制される。
【００２０】
上記した開閉ソレノイド３９と支持ソレノイド４０の作用については、後に詳述する。
【００２１】
以上のように構成される図柄表示装置３４を含む変動入賞装置２０は、図４に示す制御回路によって制御される。図４は、制御回路の構成を示すブロック図であり、制御回路には、マイクロコンピュータ５０が使用されている。そのマイクロコンピュータ５０には、外部ＲＯＭ５１、外部ＲＡＭ５２が接続されている。また、前記始動入賞口１２ａ〜１２ｃにおける入賞玉を検出する始動入賞検出スイッチ５３ａ〜５３ｃ、前記変動部材２７ａ，２７ｂに受け入れられた入賞玉を検出する１０カウント検出スイッチ５４，前記Ｖ入賞口２９における入賞玉を検出するＶ入賞検出スイッチ５５は、チャタリングを防止するためのフリップフロップからなる波形整形回路５６を介してマイクロコンピュータ５０に接続されている。
【００２２】
クロック発生回路５７は、分周器５８を介して外部割込み信号をマイクロコンピュータ５０のＩＮＴ端子に出力している。外部割込み信号に同期して実行される定時間外部割込み処理としては、各種のタイマを制御するタイマ処理、音・ランプ処理、及び各種の検出スイッチからの入力信号を制御する検出器入力処理等がある。
【００２３】
また、マイクロコンピュータ５０には、マイクロコンピュータ５０に電源を供給する電源回路６０や電源投入時にマイクロコンピュータ５０をリセットするリセット信号発生回路５９が接続されている。
【００２４】
マイクロコンピュータ５０の各出力ボートには、表示器駆動回路６１，表示器選択回路６２，ドライバ６３が接続されている。表示器駆動回路６１及び表示器選択回路６２には、前記したドット・マトリックス・ディスプレイ３６ａ〜３６ｃ、ライト・バー・モジュール３７ａ〜３７ｃ、始動入賞表示器３３ａ〜３３ｄ、入賞個数表示器２４，及び継続回数表示器２５が接続されている。それらの表示器は、マイクロコンピュータ５０から選択データと、表示データとを定周期で出力することにより、ダイナミック駆動される。すなわち、表示器選択回路５３により各表示単位が選択され、そのときの表示器駆動回路５２の出力信号に応じて表示される。これにより、外部ＲＯＭ５１内にプログラムされた情報に基づいて各種の図柄をドット・マトリックス・ディスプレイ３５ａ〜３５ｃに可変表示し、また、ライト・バー・モジュール３７ａ〜３７ｃを点灯、あるいは点滅表示する。
【００２５】
ドライバ６３は、マイクロコンピュータ５０からの信号に応じて、変動部材２７ａ，２７ｂを開閉する開閉ソレノイド３９や支持ソレノイド４０を駆動し、大当りランプ１４ａ，１４ｂ、Ｖランプ６４、及び動作ランプ１５の点灯動作を制御する。
【００２６】
次に、上記した制御回路によって制御される処理手順のうち、大当りモード時におけるソレノイド３９、４０の駆動処理サブルーチンについて図５を参照して説明する。図５に示すサブルーチンは、大当りモード時における開閉ソレノイド３９（以下、ソレノイドＡという）と支持ソレノイド（以下、ソレノイドＢという）の大当りモード時における作動の概略を示すだけである。
【００２７】
まず、大当り中であるか否かが判定され（ステップＳ１０）、大当り中でないと判定されたときには、いずれのソレノイドの駆動も行うことなく、サブルーチンを終了し、大当り中であると判定されたときには、変動部材２７ａ，２７ｂの開放状態となる前に設定された所定時間（例えば、２秒）であるインターバル処理中であるか否かが判定される（ステップＳ２０）。このインターバル処理は、大当りとなった直後の最初の開放状態の前及び開放状態と開放状態との間に設定されるもので、予め定められた表示器や記憶値等がリセットされたり、更新されたりする。しかし、いずれのソレノイドも駆動されないので、インターバル処理中であると判定されたときには、サブルーチンを終了する。
【００２８】
一方、インターバル処理中でないと判定されたときには、Ｖ入賞検出スイッチ５５がＯＮしたか否かが監視され（ステップＳ３０），ＯＮしてなければ、ソレノイドＡをＯＮして（ステップＳ４０）、後述するステップＳ１００に進む。また、Ｖ入賞検出スイッチ５５がＯＮした場合には、ソレノイドＢがＯＮされ（ステップＳ５０）、その後、タイマＴ１がセットされているか否かが判定される（ステップＳ６０）。このタイマＴ１はソレノイドＢがＯＮされた僅かな後にソレノイドＡをＯＦＦとすべく設定されるもので、その値は、例えば、０．１〜０．３秒程度である。しかして、タイマＴ１が未だセットされていないときには、タイマＴ１をセットし（ステップＳ７０）、既にセットされているときには、セットすることなく、当該タイマＴ１がタイムアップしたか否かが判定される。（ステップＳ８０）。そして、タイマＴ１がタイムアップすると、ソレノイドＡがＯＦＦとされる（ステップＳ９０）。このとき、変動部材２７ａ，２７ｂは、閉状態となるのではなく、図１に示すように、支持ソレノイドＢによって開口寸法が縮小した状態となる。
【００２９】
上記したような状態で、変動部材２７ａ，２７ｂによって受け入れられた入賞玉数を計数する入賞カウンタの値が「１０」であるか否かが判定され（ステップＳ１００）、「１０」でない場合には、開放時間が経過したか否かが判定される（ステップＳ１１０）。
【００３０】
入賞カウンタの値が「１０」になるか、又は開放時間が経過するかのいずれか早い方の条件が達成されたときには、開放状態が終了したことを意味するので、ソレノイドＡ、Ｂ共にＯＦＦとされて（ステップＳ１２０）、サブルーチンを終了する。
【００３１】
以上、実施例に係るパチンコ機の構成及び作用について説明したが、この実施例によれば、継続入賞口としてのＶ入賞口２９へ入賞玉が入賞すると、次回の開放状態が留保されると共に制御手段としての変動部材２７ａ，２７ｂの開放寸法が縮小することにより、変動部材２７ａ，２７ｂへの打球の入賞率が抑制される。このため、抑制された後に変動部材２７ａ，２７ｂに入賞する打球が所定個数に到達するまでに時間がかかり１回の開放状態を所定時間に近い時間をかけて終了させることができ、トータルとして大当りモードを十分に楽しむことができる。
【００３２】
なお、上記した実施例においては、変動部材２７ａ，２７ｂとして、左右方向に開閉する部材を示したが、他の構造の変動部材であってもよく、例えば、左右方向にスライドする一対の部材をＶ入賞口への入賞の前後で、ストロークの異なるソレノイドで励磁するようにしてもよい。
また、変動部材２７ａ，２７ｂへの打球の入賞率を抑制する抑制手段として、変動部材２７ａ，２７ｂ自体の開放寸法を縮小するものを示したが、変動部材自体を変化させるのではなく、変動部材２７ａ，２７ｂの近傍に位置する部材を動作させて入賞率を抑制させるようにしてもよい。これによれば、変動部材２７ａ，２７ｂの開放寸法を変化させなくて済むことから、変動入賞装置２０の構成及び制御に関して従来のものと同様のものを用いても、大当りモードを十分に時間をかけて楽しませるという以上の効果を実現し得る。
【００３３】
【発明の効果】
以上、説明したところから明らかなように、本発明では、複数の入賞口のうち継続入賞口へ入賞玉が入賞すると、次回の開放状態が留保されると共に抑制部材が作動してその入賞以降の変動部材への打球の入賞率を抑制する。そして、抑制された後に変動部材に入賞する打球が所定個数に到達するまでに時間がかかり１回の開放状態を所定時間に近い時間をかけて終了させることができ、トータルとして大当りモードを十分に楽しむことができる。また、この抑制に際しては、変動入賞装置の変動部材自体は何ら変化させる必要がないことから、従来の変動入賞装置及びその制御内容をそのまま利用することが可能となる。
【図面の簡単な説明】
【図１】  変動部材を含む変動入賞装置の背面図である。
【図２】  変動入賞装置の正面図である。
【図３】  変動入賞装置の正面から見た斜視図である。
【図４】  図柄表示装置及び変動入賞装置を含む遊技の動作を抑制する制御回路のブロック図である。
【図５】  変動部材を駆動するソレノイドの駆動処理サブルーチンを示すフロー図である。
【図６】  実施例に係るパチンコ機の正面図である。
【符号の説明】
１・・パチンコ機
２０・・変動入賞装置
２７ａ，２７ｂ・・変動部材
２９・・Ｖ入賞口（継続入賞口）
３９・・開閉ソレノイド
４０・・支持ソレノイド
５０・・マイクロコンピュータ
【図１】
0003669215.tif 000002
【図２】
0003669215.tif 000003
【図３】
0003669215.tif 000004
【図４】
0003669215.tif 000005
【図５】
0003669215.tif 000006
【図６】
0003669215.tif 000007